(57)【要約】【課題】３本以上のリンクが交わるノードに対応したネットワーク管理システム、管理方法、管理プログラム、ネットワーク構築システムおよび構築方法を得ること。【解決手段】ネットワークにおける信号の伝達経路を表わすリンクが３本以上交わるノードにノード別識別情報付与手段１１で固有の識別情報を付し、ＷＸＣ装置割当手段１２で３本以上のリンクに対応する装置としてのＷＸＣ装置を割り当てる。そして、各リンクの関係をＷＸＣ装置別パス登録手段１４でノードごとに登録してネットワークの管理を行う。【選択図】図１
2011239275.tif 000002
【特許請求の範囲】
【請求項１】
ネットワークにおける信号の伝達経路を表わす個々のリンクが交わる地点としてのノードごとに固有の識別情報を割り振るノード別識別情報付与手段と、
このノード別識別情報付与手段で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、
このＷＸＣ装置割当手段で割り当てたＷＸＣ装置のそれぞれに前記ノード別識別情報付与手段で割り当てたノードごとの固有の識別情報に対応する識別情報を付すＷＸＣ装置別識別情報付与手段と、
このＷＸＣ装置別識別情報付与手段で識別情報を付与したＷＸＣ装置ごとに現用経路および予備経路を構成するパスをそれぞれ登録するＷＸＣ装置別パス登録手段
とを具備することを特徴とするネットワーク管理システム。
【請求項２】
前記ノード別識別情報付与手段で識別情報を付与するノードのうちの２本のリンクが同時に交わる場所にはＲＯＡＤＭ（reconfigurable optical add/drop multiplexer）装置が割り当てられることを特徴とする請求項１記載のネットワーク管理システム。
【請求項３】
前記ネットワークの現用経路を構成するリンクの一部に障害が発生したときこれを検出する障害検出手段と、現用経路と予備経路を対で登録した現用・予備経路登録手段と、前記障害検出手段が現用・予備経路登録手段に登録した現用経路の障害を検出したとき対応する予備経路に切り替える経路切替手段とを具備することを特徴とする請求項１記載のネットワーク管理システム。
【請求項４】
ネットワークにおける信号の伝達経路を表わす個々のリンクが交わる地点としてのノードごとに固有の識別情報を割り振るノード別識別情報付与ステップと、
このノード別識別情報付与ステップで識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、
このＷＸＣ装置割当ステップで割り当てたＷＸＣ装置のそれぞれに前記ノード別識別情報付与ステップで割り当てたノードごとの固有の識別情報に対応する識別情報を付すＷＸＣ装置別識別情報付与ステップと、
このＷＸＣ装置別識別情報付与ステップで識別情報を付与したＷＸＣ装置ごとに現用経路および予備経路を構成するパスをそれぞれ登録するＷＸＣ装置別パス登録ステップ
とを具備することを特徴とするネットワーク管理方法。
【請求項５】
前記ノード別識別情報付与ステップで識別情報を付与するノードのうちの２本のリンクが同時に交わる場所にはＲＯＡＤＭ（reconfigurable optical add/drop multiplexer）装置を割り当てるＲＯＡＤＭ装置割当ステップを具備することを特徴とする請求項４記載のネットワーク管理方法。
【請求項６】
前記ネットワークの現用経路を構成するリンクの一部に障害が発生したときこれを検出する障害検出ステップと、現用経路と予備経路を対で登録した現用・予備経路登録ステップと、前記障害検出ステップで現用・予備経路登録ステップにおいて登録した現用経路の障害を検出したとき対応する予備経路に切り替える経路切替ステップとを具備することを特徴とする請求項４記載のネットワーク管理方法。
【請求項７】
コンピュータに、
ネットワークにおける信号の伝達経路を表わす個々のリンクが交わる地点としてのノードごとに固有の識別情報を割り振るノード別識別情報付与処理と、
このノード別識別情報付与処理で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当処理と、
このＷＸＣ装置割当処理で割り当てたＷＸＣ装置のそれぞれに前記ノード別識別情報付与処理で割り当てたノードごとの固有の識別情報に対応する識別情報を付すＷＸＣ装置別識別情報付与処理と、
このＷＸＣ装置別識別情報付与処理で識別情報を付与したＷＸＣ装置ごとに現用経路および予備経路を構成するパスをそれぞれ登録するＷＸＣ装置別パス登録処理
とを実行させることを特徴とするネットワーク管理プログラム。
【請求項８】
ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、
前記ネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当手段
とを具備することを特徴とするネットワーク構築システム。
【請求項９】
ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、
前記ネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当ステップ
とを具備することを特徴とするネットワーク構築方法。
【発明の詳細な説明】
【技術分野】
【０００１】
本発明は、ネットワーク管理システム、管理方法、管理プログラム、ネットワーク構築システムおよび構築方法に関する。本発明は特に比較的複雑なネットワークに対応可能なネットワーク管理システム、管理方法、管理プログラム、ネットワーク構築システムおよび構築方法に関する。
【背景技術】
【０００２】
ネットワークを常時管理するシステムとしてＮＭＳ（Network Management System:ネットワークマネジメントシステム）が存在する。単純なネットワークの場合、ネットワークマネジメントシステムは、サーバ、ハブ、ルータ等のネットワークを構成するネットワーク機器としての各ノードをリング状に接続して、ネットワークの管理を行っている。たとえば時計方向に回転する伝送路としての現用経路があるとする。この場合、その逆の反時計方向に回転する予備経路を設定しておき、障害発生時に現用経路から予備経路に切り替えることで通信を継続できるようにしている。
【０００３】
比較的簡単なネットワークしか存在しない状況では、このようなリング状に形成したリングネットワークに対するネットワークの監視で十分である。ところが、最近はメッシュネットワークを構築して、これらをネットワークマネジメントシステムで統括的に監視制御するという管理手法が求められるようになっている。
【０００４】
図１５は、従来のネットワークマネジメントシステムで監視が行えないネットワークの一例を示したものである。このネットワーク１００を構成する第１のノード１０１は、第２および第３のノード１０２、１０３と別々に接続する２方向の経路を有している。第４のノード１０４も同様に、第２および第３のノード１０２、１０３と別々に接続する２方向の経路を有している。このような第１および第４のノード１０１、１０４は、たとえばＲＯＡＤＭ（reconfigurable optical add/drop multiplexer）装置で実現することができる。
【０００５】
ＲＯＡＤＭ装置は、波長多重装置に、設定によって任意の波長を多重分離できる部品を組み合わせた装置である。ＲＯＡＤＭ装置を光ファイバでリング状に接続することで、イースト（EAST）とウエスト（WEST）の２方向に光信号を伝達することができる。
【０００６】
ところが、第２のノード１０２は、第１、第３および第４のノード１０１、１０３、１０４の３方向の経路を有している。第３のノード１０３も第１、第２および第４のノード１０１、１０２、１０４の３方向の経路を有している。このため、図１５に示すネットワーク１００の構成で、第２および第３のノード１０２、１０３にもＲＯＡＤＭ装置を使用した場合、第１、第２、第４および第３のノード１０１、１０２、１０４、１０３のリング状の通信は行えても、第２および第３のノード１０２、１０３間の通信が行えない。したがって、図１５に示す各方向を有するネットワークの監視は不可能である。
【０００７】
図１６は、図１５に示したネットワークを管理可能な２つのネットワークに分割した状態を示したものである。ここでは、図１５に示したネットワーク１００を第１のネットワーク１１１と第２のネットワーク１１２に分割している。図１５に示した第２のノード１０２は、第２−１のノード１０２−１と、第２−２のノード１０２−２に変更されている。また、図１５に示した第３のノード１０３は、第３−１のノード１０３−１と、第３−２のノード１０３−２に変更されている。
【０００８】
これにより、第１のノード１０１と第２−１のノード１０２−１および第３−１のノード１０３−１を順に伝送路で接続した分割後の第１のネットワーク１１１はリング状となり、その監視・制御が可能になる。同様に、第２−２のノード１０２−２と第３−２のノード１０３−２および第４のノード１０４を順に伝送路で接続した第２のネットワーク１１２もリング状となり、その監視・制御が可能になる。
【０００９】
ところが、図１５に示した１つのネットワーク１００を図１６に示したように第１および第２のネットワーク１１１、１１２に分断すると、第２のノード１０２および第３のノード１０３ではＷＸＣ（wavelength cross-connect）管理が複雑化してしまう。
【００１０】
図１７は、本発明の第１の関連技術としてのＲＯＡＤＭ装置を使用した２重のリング構造によるネットワークを示したものである。図１７等の図で英字「Ｒ」はＲＯＡＤＭ装置を示している。
【００１１】
図１７でネットワークは、第１〜第４のノード１０１〜１０４で構成される大径の第１のネットワーク１２１と、第２および第３のノード１０３、１０４のみで構成される小径の第２のネットワーク１２２で構成されている。この第１の関連技術によるネットワークの場合には、第２のノードを構成する第２−１のＲＯＡＤＭ装置１０２1で第１のネットワーク１２１から取り出した（drop）特定の波長の光信号が第２−２のＲＯＡＤＭ装置１０２2に追加(add)され、第２のネットワーク１２２に入る。この逆も可能である。また、第２のノードを構成する第３−１のＲＯＡＤＭ装置１０３1で第１のネットワーク１２１から取り出した（drop）特定の波長の光信号が第３−２のＲＯＡＤＭ装置１０３2に追加(add)され、第２のネットワーク１２２に入る。この逆も可能である。
【００１２】
この第１の関連技術の場合にも、第２のノード１０２および第３のノード１０３で３方向に光信号を分岐させることができる。しかしながら、第２のノード１０２と第３のノード１０３がそれぞれ２組ずつのＲＯＡＤＭ装置（１０２1、１０２2）、（１０３1、１０３2）で構成される。したがって、図１６で示した場合と同様にＷＸＣ管理が複雑化してしまう。
【００１３】
最近はメッシュネットワーク（mesh network）も構築されるようになっている。メッシュネットワークは、網の目のように形成されたネットワークであり、１つのノードがたとえば４方向の経路を備えている。このようなメッシュネットワークは、メッシュを構成するそれぞれの四角形あるいは閉ループからなるリングごとに管理を行うことが第２の関連技術として提案されている（たとえば特許文献１参照）。
【先行技術文献】
【特許文献】
【００１４】
【特許文献１】特開２００２−２４７０３８号公報（第０００６段落、図１８）。
【発明の概要】
【発明が解決しようとする課題】
【００１５】
このようにネットワークが大規模化し、またその構成が複雑化してくると、１つのネットワークを構成する各ノードを分割して管理する必要が生じ、ネットワークマネジメントシステムで行う管理が複雑になるという問題があった。
【００１６】
そこで本発明の目的は、３本以上のリンクが交わるノードを用いることのできるネットワーク管理システム、管理方法、管理プログラム、ネットワーク構築システムおよび構築方法を得ることにある。
【課題を解決するための手段】
【００１７】
本発明では、（イ）ネットワークにおける信号の伝達経路を表わす個々のリンクが交わる地点としてのノードごとに固有の識別情報を割り振るノード別識別情報付与手段と、（ロ）このノード別識別情報付与手段で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、（ハ）このＷＸＣ装置割当手段で割り当てたＷＸＣ装置のそれぞれに前記したノード別識別情報付与手段で割り当てたノードごとの固有の識別情報に対応する識別情報を付すＷＸＣ装置別識別情報付与手段と、（ニ）このＷＸＣ装置別識別情報付与手段で識別情報を付与したＷＸＣ装置ごとに現用経路および予備経路を構成するパスをそれぞれ登録するＷＸＣ装置別パス登録手段とをネットワーク管理システムが具備する。
【００１８】
また、本発明では、（イ）ネットワークにおける信号の伝達経路を表わす個々のリンクが交わる地点としてのノードごとに固有の識別情報を割り振るノード別識別情報付与ステップと、（ロ）このノード別識別情報付与ステップで識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、（ハ）このＷＸＣ装置割当ステップで割り当てたＷＸＣ装置のそれぞれに前記したノード別識別情報付与ステップで割り当てたノードごとの固有の識別情報に対応する識別情報を付すＷＸＣ装置別識別情報付与ステップと、（ニ）このＷＸＣ装置別識別情報付与ステップで識別情報を付与したＷＸＣ装置ごとに現用経路および予備経路を構成するパスをそれぞれ登録するＷＸＣ装置別パス登録ステップとをネットワーク管理方法が具備する。
【００１９】
更に本発明では、コンピュータに、ネットワーク管理プログラムとして、（イ）ネットワークにおける信号の伝達経路を表わす個々のリンクが交わる地点としてのノードごとに固有の識別情報を割り振るノード別識別情報付与処理と、（ロ）このノード別識別情報付与処理で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当処理と、（ハ）このＷＸＣ装置割当処理で割り当てたＷＸＣ装置のそれぞれに前記したノード別識別情報付与処理で割り当てたノードごとの固有の識別情報に対応する識別情報を付すＷＸＣ装置別識別情報付与処理と、（ニ）このＷＸＣ装置別識別情報付与処理で識別情報を付与したＷＸＣ装置ごとに現用経路および予備経路を構成するパスをそれぞれ登録するＷＸＣ装置別パス登録処理とを実行させることを特徴としている。
【００２０】
また、本発明では、（イ）ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、（ロ）前記したネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当手段とをネットワーク構築システムが具備する。
【００２１】
更に本発明では、（イ）ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、（ロ）前記したネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当ステップとをネットワーク構築方法が具備する。
【発明の効果】
【００２２】
以上説明したように本発明によれば、ネットワークにおける信号の伝達経路を表わす個々のリンクが交わる地点としてのノードにおける３本以上の任意の本数のリンクの同時に交わる場所にＷＸＣ装置を配置することにした。ここでＷＸＣ装置とは、第１のリンクを伝送される波長多重した光信号から任意の波長の光信号をそれぞれ取り出す光信号ドロップ手段と、この光信号ドロップ手段で取り出した各波長の光信号を任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えた装置である。このＷＸＣ装置をリンクの本数となる状態で配置することで、第３のリンク以降のリンクに対しても光信号を分配するネットワークを構築したり、このように構築したネットワークで現用経路と予備経路を設定してネットワークの障害時の対応を採ることができる。ネットワークの構築については、たとえばリンクの本数を４本とすることでメッシュネットワークを構成したり、その監視制御も可能になる。
【図面の簡単な説明】
【００２３】
【図１】本発明のネットワーク管理システムのクレーム対応図である。
【図２】本発明のネットワーク管理方法のクレーム対応図である。
【図３】本発明のネットワーク管理プログラムのクレーム対応図である。
【図４】本発明のネットワーク構築システムのクレーム対応図である。
【図５】本発明のネットワーク構築方法のクレーム対応図である。
【図６】本発明の実施の形態におけるネットワークマネジメントシステムを備えたネットワークの概要を表わしたシステム構成図である。
【図７】本実施の形態の第１のリング状ネットワークに対応する従来から存在するリング状ネットワークを示した説明図である。
【図８】本実施の形態の第１のリング状ネットワークにおける第２のＷＸＣ装置の原理的な構成を表わしたブロック図である。
【図９】本実施の形態で整数Ｍが数値「２」のときの４つのＷＸＣ装置のパスの設定の様子を表わした説明図である。
【図１０】本実施の形態のネットワークマネジメントシステム内の管理テーブルの内容を表わした説明図である。
【図１１】本実施の形態のネットワークマネジメントシステムの構成の概要を表わしたブロック図である。
【図１２】本実施の形態の現用経路と予備経路の設定操作を行うためのネットワークの管理者の処理の流れを表わした流れ図である。
【図１３】３つのリング状ネットワークを統合したネットワークの構築例を表わしたネットワーク構成図である。
【図１４】図１５に対応するネットワークを、ＷＸＣ装置を一部使用することで実現する例を表わしたネットワーク構成図である。
【図１５】従来のネットワークマネジメントシステムで監視が行えないネットワークの一例を示したネットワーク構成図である。
【図１６】図１５に示したネットワークを管理可能な２つのネットワークに分割した状態を示した説明図である。
【図１７】本発明の第１の関連技術としてのＲＯＡＤＭ装置を使用した２重のリング構造によるネットワークを示したネットワーク構成図である。
【発明を実施するための形態】
【００２４】
図１は、本発明のネットワーク管理システムのクレーム対応図を示したものである。本発明のネットワーク管理システム１０は、ノード別識別情報付与手段１１と、ＷＸＣ（wavelength cross-connect）装置割当手段１２と、ＷＸＣ装置別識別情報付与手段１３と、ＷＸＣ装置別パス登録手段１４を備えている。ここで、ノード別識別情報付与手段１１は、ネットワークにおける信号の伝達経路を表わす個々のリンクが交わる地点としてのノードごとに固有の識別情報を割り振る。ＷＸＣ装置割当手段１２は、光信号ドロップ手段１２ａと、光信号送出手段１２ｂと、光信号アド手段１２ｃを備えたＷＸＣ装置を１台ずつ割り当てる。このうち光信号ドロップ手段１２ａは、ノード別識別情報付与手段１１で識別情報を付与するノードのうちの３本以上の任意の本数のリンクの同時に交わる場所で、第１のリンクを伝送される波長多重した光信号から任意の波長の光信号をそれぞれ取り出す。光信号送出手段１２ｂは、光信号ドロップ手段１２ａで取り出した各波長の光信号を前記した任意の本数のリンクにおける第３のリンク以降のリンクに割り当てて送出する。光信号アド手段１２ｃは、任意の本数のリンクにおける第３のリンク以降のリンクを用いてそれぞれ伝送される互いに異なる波長の光信号を前記した光信号ドロップ手段１２ａでドロップした波長以外の波長の光信号と合波して第２のリンクに送出する。ＷＸＣ装置別識別情報付与手段１３は、ＷＸＣ装置割当手段１２で割り当てたＷＸＣ装置のそれぞれにノード別識別情報付与手段１１で割り当てたノードごとの固有の識別情報に対応する識別情報を付す。ＷＸＣ装置別パス登録手段１４は、ＷＸＣ装置別識別情報付与手段１３で識別情報を付与したＷＸＣ装置ごとに現用経路および予備経路を構成するパスを登録する。
【００２５】
図２は、本発明のネットワーク管理方法のクレーム対応図を示したものである。本発明のネットワーク管理方法２０は、ノード別識別情報付与ステップ２１と、ＷＸＣ（wavelength cross-connect）装置割当ステップ２２と、ＷＸＣ装置別識別情報付与ステップ２３と、ＷＸＣ装置別パス登録ステップ２４を備えている。ここで、ノード別識別情報付与ステップ２１では、ネットワークにおける信号の伝達経路を表わす個々のリンクが交わる地点としてのノードごとに固有の識別情報を割り振る。ＷＸＣ装置割当ステップ２２では、ノード別識別情報付与ステップ２１で識別情報を付与するノードのうちの３本以上の任意の本数のリンクの同時に交わる場所に、ＷＸＣ装置を１台ずつ割り当てる。ここでＷＸＣ装置は、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えている。ＷＸＣ装置別識別情報付与ステップ２３では、ＷＸＣ装置割当ステップ２２で割り当てたＷＸＣ装置のそれぞれにノード別識別情報付与ステップ２１で割り当てたノードごとの固有の識別情報に対応する識別情報を付す。ＷＸＣ装置別パス登録ステップ２４では、ＷＸＣ装置別識別情報付与ステップ２３で識別情報を付与したＷＸＣ装置ごとに現用経路および予備経路を構成するパスを登録する。
【００２６】
図３は、本発明のネットワーク管理プログラムのクレーム対応図を示したものである。本発明のネットワーク管理プログラム３０は、コンピュータに、ノード別識別情報付与処理３１と、ＷＸＣ（wavelength cross-connect）装置割当処理３２と、ＷＸＣ装置別識別情報付与処理３３と、ＷＸＣ装置別パス登録処理３４を実行させるようにしている。ここで、ノード別識別情報付与処理３１では、ネットワークにおける信号の伝達経路を表わす個々のリンクが交わる地点としてのノードごとに固有の識別情報を割り振る。ＷＸＣ装置割当処理３２では、ノード別識別情報付与処理３１で識別情報を付与するノードのうちの３本以上の任意の本数のリンクの同時に交わる場所に、ＷＸＣ装置を１台ずつ割り当てる。ここでＷＸＣ装置は、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えている。ＷＸＣ装置別識別情報付与処理３３は、ＷＸＣ装置割当処理３２で割り当てたＷＸＣ装置のそれぞれにノード別識別情報付与処理３１で割り当てたノードごとの固有の識別情報に対応する識別情報を付す。ＷＸＣ装置別パス登録処理３４は、ＷＸＣ装置別識別情報付与処理３３で識別情報を付与したＷＸＣ装置ごとに現用経路および予備経路を構成するパスを登録する。
【００２７】
図４は、本発明のネットワーク構築システムのクレーム対応図を示したものである。本発明のネットワーク構築システム４０は、ＷＸＣ（wavelength cross-connect）装置割当手段４１と、ＲＯＡＤＭ（reconfigurable optical add/drop multiplexer）装置割当手段４２を備えている。ここで、ＷＸＣ装置割当手段４１は、ネットワークにおける信号の伝達経路を表わす個々のリンクが交わる地点としてのノードのうちの３本以上の任意の本数のリンクの同時に交わる場所に、ＷＸＣ装置を１台ずつ割り当てる。ここでＷＸＣ装置は、光信号ドロップ手段と、光信号送出手段と、光信号アド手段を備えている。前記した光信号ドロップ手段は、第１のリンクを伝送される波長多重した光信号から任意の波長の光信号をそれぞれ取り出す。前記した光信号送出手段は、前記した光信号ドロップ手段で取り出した各波長の光信号を前記した任意の本数のリンクにおける第３のリンク以降のリンクに割り当てて送出する。前記した光信号アド手段は、任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する。ＲＯＡＤＭ装置割当手段４２は、ネットワークにおける信号の伝達経路を表わす個々のリンクが交わる地点としてのノードのうちの２本のリンクが同時に交わる場所にはＲＯＡＤＭ装置を１台ずつ割り当てる。
【００２８】
図５は、本発明のネットワーク構築方法のクレーム対応図を示したものである。本発明のネットワーク構築方法５０は、ＷＸＣ（wavelength cross-connect）装置割当ステップ５１と、ＲＯＡＤＭ（reconfigurable optical add/drop multiplexer）装置割当ステップ５２を備えている。ここで、ＷＸＣ装置割当ステップ５１では、ネットワークにおける信号の伝達経路を表わす個々のリンクが交わる地点としてのノードのうちの３本以上の任意の本数のリンクの同時に交わる場所に、ＷＸＣ装置を１台ずつ割り当てる。ＷＸＣ装置は、第１のリンクを伝送される波長多重した光信号から任意の波長の光信号をそれぞれ取り出す光信号ドロップ手段と、この光信号ドロップ手段で取り出した各波長の光信号を前記した任意の本数のリンクにおける第３のリンク以降のリンクに割り当てて送出する光信号送出手段と、前記した任意の本数のリンクにおける第３のリンク以降のリンクを用いてそれぞれ伝送される互いに異なる波長の光信号を前記した光信号ドロップ手段でドロップした波長以外の波長の光信号と合波して第２のリンクに送出する光信号アド手段とを備えている。ＲＯＡＤＭ装置割当ステップ５２では、ネットワークにおける信号の伝達経路を表わす個々のリンクが交わる地点としてのノードのうちの２本のリンクが同時に交わる場所にはＲＯＡＤＭ装置を１台ずつ割り当てる。
【００２９】
＜発明の実施の形態＞
【００３０】
次に本発明の実施の形態を説明する。
【００３１】
図６は、本発明の実施の形態におけるネットワークマネジメントシステムを備えたネットワークの概要を表わしたものである。本実施の形態のネットワーク２００は、ネットワークマネジメントシステム（Network Management System：ＮＭＳ）２０１がその全体を管理するようになっている。
【００３２】
ネットワーク２００は、第１のリング状ネットワーク２１１と、第２のリング状ネットワーク２１２と、これら２つのリング状ネットワーク２１１、２１２を取り込んだ第３のリング状ネットワーク２１３によって構成されている。ここで第１および第２のリング状ネットワーク２１１、２１２は、従来から存在するリング状ネットワークを構成するＲＯＡＤＭ装置の一部をＷＸＣ（wavelength cross-connect）装置に代えたものである。ここでＲＯＡＤＭ装置をＷＸＣ装置に代える場所は、３本以上の任意の本数のリンクの同時に交わるノードである。
【００３３】
図７は、本実施の形態の第１のリング状ネットワークに対応する従来から存在するリング状ネットワークを示したものである。第１〜第４のＲＯＡＤＭ（reconfigurable optical add/drop multiplexer）装置２２１11〜２２１14が、それぞれ双方向に光信号を伝送する伝送路２２２11〜２２２14によってリング状に接続されている。このようなリング状ネットワーク２３０では、各ノードがイースト（EAST）とウエスト（WEST）の２方向にしか光信号を伝達させることができないことは既に説明した。
【００３４】
図６に示したネットワーク２００では、第１のリング状ネットワーク２１１における図７に示した第１および第３のＲＯＡＤＭ装置２２１11、２２１13をそのままにして、第２のＲＯＡＤＭ装置２２１12を第２のＷＸＣ装置２２３12に変更し、第４のＲＯＡＤＭ装置２２１14を第４のＷＸＣ装置２２３14に変更している。同様に、第２のリング状ネットワーク２１２は、イースト（EAST）とウエスト（WEST）の２方向に光信号を伝達させる第２および第３のＲＯＡＤＭ装置２２１22、２２１23と、３方向の分岐を行った第１および第４のＷＸＣ装置２２３21、２２３24で構成している。ここで、第２のリング状ネットワーク２１２は、第１のＷＸＣ装置２２３21と第２のＲＯＡＤＭ装置２２１22を伝送路２２２21で接続し、以下、時計回り方向に伝送路２２２22〜２２２24でこれらの装置を接続している。この図１等の図で英字「Ｗ」はＷＸＣ装置を表わしている。
【００３５】
第３のリング状ネットワーク２１３は、伝送路２２２31で第１のＲＯＡＤＭ装置２２１31と第１のリング状ネットワーク２１１における第４のＷＸＣ装置２２３14と接続している。そして、第１のリング状ネットワーク２１１における第２のＷＸＣ装置２２３12と第２のＲＯＡＤＭ装置２２１32の間を伝送路２２２32で接続し、第２のＲＯＡＤＭ装置２２１32と第２のリング状ネットワーク２１２における第１のＷＸＣ装置２２３21の間を伝送路２２２33で接続している。第２のリング状ネットワーク２１２における第４のＷＸＣ装置２２３24と第１のＲＯＡＤＭ装置２２１31の間は伝送路２２２34で接続している。このように第３のリング状ネットワーク２１３は、第１のリング状ネットワーク２１１と第２のリング状ネットワーク２１２を接続して成るリング状ネットワークである。
【００３６】
このように本実施の形態のネットワーク２００では、３方向に分岐するノードをそれぞれＷＸＣ装置２２３12、２２３14、２２３21、２２３24で構成している。そして、ネットワークマネジメントシステム２０１は、第１のＲＯＡＤＭ装置２２１31と第２のＲＯＡＤＭ装置２２１32を結ぶ通信路に対して、次のように現用系路と予備経路を設定する。そして、常時は現用系路を使用して通信を行い、この現用系路に障害が発生したときには予備経路側に通信路を切り替える。
（ａ）現用系路
第１のＲＯＡＤＭ装置２２１31を一端のノードとして、伝送路２２２34、伝送路２２２24、伝送路２２２33を順に結んで第２のＲＯＡＤＭ装置２２１32を他端のノードとする通信路。
（ｂ）予備経路
第１のＲＯＡＤＭ装置２２１31を一端のノードとして、伝送路２２２31、伝送路２２２13、伝送路２２２12、伝送路２２２32を順に結んで第２のＲＯＡＤＭ装置２２１32を他端のノードとする通信路。
【００３７】
図８は、第１のリング状ネットワークにおける第２のＷＸＣ装置の原理的な構成を表わしたものである。図６におけるＷＸＣ装置２２３12、２２３14、２２３21、２２３24は、すべて同一の構成となっている。そこでＷＸＣ装置２２３14、２２３21、２２３24については、これらの具体的な装置構成の図示および説明を省略する。なお、図８では図示および説明を簡略化するために、双方向に伝送する光信号のうちの一方向の光信号についての回路部分のみを示している。
【００３８】
第１のリング状ネットワークにおける第２のＷＸＣ装置２２３12は、光伝送路としての伝送路２２２11から多重された光信号を入力する入力側アレイ導波路格子（ＡＷＧ）２４１と、取り込み（drop）と挿入（Add）後の光信号を伝送路２２２12に出力する出力側アレイ導波路格子（ＡＷＧ）２４２を備えている。入力側アレイ導波路格子２４１は、多重された光信号を波長λ1〜λNのＮチャネル分の光信号に分波する。これら分波後の波長λ1〜λNの光信号は、波長ごとに対応して用意された２入力２出力の光スイッチ２４３1〜２４３Nの対応する入力端子の一方にそれぞれ入力される。２入力２出力の光スイッチ２４３1〜２４３Nの他方の入力端子には、第１のＭＷＳ（Multiple Wavelength Switch）２４４からそれぞれ挿入すべき光信号がそれぞれに対応する波長λ1〜λNで入力されるようになっている。
【００３９】
２入力２出力の光スイッチ２４３1〜２４３Nは、それぞれの２つの入力端子に入力される所定の波長の光信号の一方を選択して、それぞれの２つの出力端子の一方に出力するスイッチである。光スイッチ２４３1〜２４３Nの一方の出力端子は、それぞれ出力側アレイ導波路格子２４２の入力側と接続されている。光スイッチ２４３1〜２４３Nの一方の出力端子と出力側アレイ導波路格子２４２の間には、波長λ1〜λNの各チャネルの光信号の信号レベルを揃えるための図示しないアッテネータや増幅器がチャネルの数だけ配置されていてもよい。
【００４０】
出力側アレイ導波路格子２４２は、光スイッチ２４３1〜２４３Nのそれぞれから送られてくる波長λ1〜λNのＮチャネル分の光信号を合波して、多重光として伝送路２２２12に送出することになる。光スイッチ２４３1〜２４３Nのそれぞれ他方の出力端子は、第２のＭＷＳ２４５に接続されている。
【００４１】
ところで、第１のＭＷＳ２４４は第１〜第Ｍの入力ポート２４６1〜２４６Mを備えており、第２のＭＷＳ２４５は第１〜第Ｍの出力ポート２４７1〜２４７Mを備えている。第１のＭＷＳ２４４は、第１〜第Ｍの入力ポート２４６1〜２４６Mから入力された任意の波長の光信号を、２入力２出力の光スイッチ２４３1〜２４３Nの対応する波長における他方の入力端子に入力するようになっている。第２のＭＷＳ２４５は２入力２出力の光スイッチ２４３1〜２４３Nのそれぞれの他方の出力端子からそれぞれの波長の光信号を入力して、第１〜第Ｍの出力ポート２４７1〜２４７Mのうちの指定されたポートに振り分けて出力するようになっている。
【００４２】
本実施の形態では、図６におけるＷＸＣ装置２２３12、２２３14、２２３21、２２３24が、従来のリング状ネットワークにおけるイースト（EAST）とウエスト（WEST）の２方向以外に１つの方向に光信号を分岐する。このため、整数Ｍは最低限、数値「１」であってよい。整数Ｍが「２」であるとき、第２のＷＸＣ装置２２３12は、４方向に光信号を入出力することができる。
【００４３】
図９は、一例として本実施の形態で整数Ｍが数値「２」のときの４つのＷＸＣ装置のパスの設定の様子を表わしたものである。ここでは、第１〜第４のＷＸＣ装置２２３1〜２２３4が、それぞれ互いにパスを設定するものとして説明する。第１〜第４のＷＸＣ装置２２３1〜２２３4は、それぞれイースト（EAST）方向にパスを設定するイースト部２６１1〜２６１4と、ウエスト（WEST）方向にパスを設定するウエスト部２６２1〜２６２4を備えている。
【００４４】
第１〜第４のＷＸＣ装置２２３1〜２２３4のイースト部２６１1〜２６１4とウエスト部２６２1〜２６２4は、それぞれ自装置を除く残りの３つのＷＸＣ装置のイースト部およびウエスト部と１対１にリンクしている。第１〜第４のＷＸＣ装置２２３1〜２２３4間のリンクを表わすリンク番号を「１」から「２４」とする。
【００４５】
図１０は、ネットワークマネジメントシステム内の管理テーブルにおけるリンク番号とリンクの関係を表わしたものである。図６および図９と共に説明する。
【００４６】
ネットワークマネジメントシステム（ＮＭＳ）２０１内に設けられた管理テーブル２７１には、リンク番号とＷＸＣ装置２２３1〜２２３4間のリンクおよびＷＸＣ装置２２３1〜２２３4間の接続の関係を示すデータが格納されている。たとえばリンク番号「１」で示されるリンクは、第１のＷＸＣ装置２２３1の第１の端点としての第１のウエスト部２６２1と、第２のＷＸＣ装置２２３2の第２の端点としての第２のウエスト部２６２2の間に張られている。また、リンク番号「２」で示されるリンクは、第１のＷＸＣ装置２２３1の第１の端点としての第１のウエスト部２６２1と第２のＷＸＣ装置２２３2の第２の端点としての第２のイースト部２６１2の間に張られている。更に、リンク番号「３」で示されるリンクは、第１のＷＸＣ装置２２３1の第１の端点としての第１のイースト部２６１1と第２のＷＸＣ装置２２３2の第２の端点としての第２のウエスト部２６２2の間に張られている。更にまた、リンク番号「４」で示されるリンクは、第１のＷＸＣ装置２２３1の第１の端点としての第１のイースト部２６１1と第２のＷＸＣ装置２２３2の第２の端点としての第２のイースト部２６１2の間に張られている。以下同様である。
【００４７】
図１１は、ネットワークマネジメントシステムの構成の概要を表わしたものである。図６に示したネットワークマネジメントシステム（ＮＭＳ）２０１は、ＣＰＵ（Central Processing Unit）２７１と、このＣＰＵが実行するプログラムを格納したメモリ２７２を備えた制御部２７３を有している。制御部２７３は、ネットワークマネジメントシステム２０１内のバス２７４に接続された以下の各部を制御する。図６と共に説明する。
【００４８】
管理テーブル２７１は図１０で説明した。現用・予備経路テーブル２８５は、現用経路と予備経路を定めている。第１のＲＯＡＤＭ装置２２１31を一端のノードとして第２のＲＯＡＤＭ装置２２１32を他端のノードとする現用経路と予備経路については既に説明した。管理テーブル２７１と現用・予備経路テーブル２８５は、不揮発性メモリによって構成する。ネットワークマネジメントシステム２０１の構成によっては、メモリ２８２の一部領域をこれらのテーブルに割り当ててもよい。
【００４９】
入力装置２８６は、ネットワーク２００の管理者が各種の管理用のデータを入力するキーボード等の入力デバイスである。管理テーブル２７１および現用・予備経路テーブル２８５は、ネットワーク２００の管理者が入力装置２８６を使用して入力し、必要に応じてこれらの編集を行う。ディスプレイ２８７は、たとえば液晶ディスプレイによって構成されており、ネットワーク２００の管理者の入力するデータを視覚的に表示する。
【００５０】
障害検出部２８８は、ネットワークマネジメントシステム２０１を構成する伝送路２２２11〜２２２14等の各伝送路の障害の発生を検出する。経路切替部２８９は、現用経路で障害が発生したとき、これを予備経路に切り替えるようになっている。
【００５１】
今、第１のＲＯＡＤＭ装置２２１31から第２のＲＯＡＤＭ装置２２１32に向けて波長λ1の光信号が現用経路に送りだされたものとする。すると、この波長λ1の光信号は、伝送路２２２34を通じてＷＸＣ装置２２３24に到達する。ＷＸＣ装置２２３24では、図８をＷＸＣ装置２２３24として読み替えた場合における第１のＭＷＳ２４４の第１の入力ポート２４６1に入力される。この例の場合、ＷＸＣ装置２２３24は、３分岐を行うので、整数Ｍは「１」である。
【００５２】
第１の入力ポート２４６1に入力した波長λ1の光信号は、第１のＭＷＳ２４４から光スイッチ２４３1に送られて、ここで選択され出力側アレイ導波路格子２４２に入力される。そして、伝送路２２２12を読み替えた伝送路２２２24に送り出されて、第１のＷＸＣ装置２２３21に到達する。
【００５３】
ＷＸＣ装置２２３21では、図８を第１のＷＸＣ装置２２３21として読み替えた場合における入力側アレイ導波路格子（ＡＷＧ）２４１に波長λ1の光信号が入力される。この光信号は、光スイッチ２４３1で選択され、第２のＭＷＳ２４５に送りだされる。第２のＭＷＳ２４５はこの波長λ1の光信号を第１の出力ポート２４７1から伝送路２２２33に向けて送出する。この例の場合も、ＷＸＣ装置２２３21は、３分岐を行うので、整数Ｍは「１」である。このようにして波長λ1の光信号は第２のＲＯＡＤＭ装置２２１32に到達して取り出される。
【００５４】
このようにして第１のＲＯＡＤＭ装置２２１31から第２のＲＯＡＤＭ装置２２１32に向けて波長λ1の光信号が現用経路を経て伝送されている状態データ、たとえば伝送路２２２34に障害が発生したとする。これにより、第２のＲＯＡＤＭ装置２２１32に波長λ1の光信号が到達しなくなる。ネットワークマネジメントシステム２０１の障害検出部２８８はこの障害を検出する。これにより、経路切替部２８９は第１のＲＯＡＤＭ装置２２１31から第２のＲＯＡＤＭ装置２２１32に到達する現用経路を予備経路に切り替える。
【００５５】
この結果、第１のＲＯＡＤＭ装置２２１31から送り出される波長λ1の光信号は、予備経路としての伝送路２２２31を経て第４のＷＸＣ装置２２３14に到達する。第４のＷＸＣ装置２２３14では、図８をＷＸＣ装置２２３14として読み替えた場合における第１のＭＷＳ２４４の第１の入力ポート２４６1に入力される。この例の場合も、第４のＷＸＣ装置２２３14は、３分岐を行うので、整数Ｍは「１」である。
【００５６】
第１の入力ポート２４６1に入力した波長λ1の光信号は、第１のＭＷＳ２４４から光スイッチ２４３1に送られて、ここで選択され出力側アレイ導波路格子２４２に入力される。そして、伝送路２２２12を読み替えた伝送路２２２13に送り出されて第３のＲＯＡＤＭ装置２２１13に到達する。
【００５７】
第３のＲＯＡＤＭ装置２２１13で波長λ1の光信号は、ドロップされることなく伝送路２２２12に送り出される。この結果、この波長λ1の光信号は第２のＷＸＣ装置２２３12に到達する。
【００５８】
第２のＷＸＣ装置２２３12では、図８を第２のＷＸＣ装置２２３12として読み替えた場合における入力側アレイ導波路格子（ＡＷＧ）２４１に波長λ1の光信号が入力される。この光信号は、光スイッチ２４３1で選択され、第２のＭＷＳ２４５に送りだされる。第２のＭＷＳ２４５はこの波長λ1の光信号を第１の出力ポート２４７1から伝送路２２２32に向けて送出する。この例の場合も、第２のＷＸＣ装置２２３12は、３分岐を行うので、整数Ｍは「１」である。このようにして波長λ1の光信号は第２のＲＯＡＤＭ装置２２１32に到達して取り出される。すなわち、現用経路から予備経路への切り替えによって第１のＲＯＡＤＭ装置２２１31から送り出された波長λ1の光信号が第２のＲＯＡＤＭ装置２２１32に到達することになる。
【００５９】
図１２は、以上の現用経路と予備経路の設定操作を行うためのネットワークの管理者の処理の流れを表わしたものである。図６、図９〜図１１と共に説明する。
【００６０】
管理者は、まずネットワーク２００を構成するすべてのＷＸＣ装置２２３12、２２３14、２２３21、２２３24を配置する各ノードに固有のＩＤ（Identification）を割り振る（ステップＳ３０１）。次に、これらのノードに配置されるＷＸＣ装置２２３12、２２３14、２２３21、２２３24をそれぞれのＩＤと共に登録する（ステップＳ３０２）。最後に、現用経路と予備経路での光信号の切り替えに必要なＷＸＣ装置２２３12、２２３14、２２３21、２２３24の接続関係（図１０）を管理テーブル２７１を用いて設定し、現用・予備経路テーブル２８５を作成する（ステップＳ３０３）。
【００６１】
以上、ネットワークの管理を中心として本発明を説明したが、既存のリング状のネットワークを構成するＲＯＡＤＭ装置２２１の一部をＷＸＣ装置２２３に交換することで、新たなネットワークを構築できることは以上の説明からも明らかである。ここで、ネットワーク構築の様子の他の例を説明する。
【００６２】
図１３は、３つのリング状ネットワークを統合したネットワークの構築例を表わしたものである。第１〜第３のリング状ネットワーク４０１〜４０３は元々、ＲＯＡＤＭ装置２２１のみを光ファイバで連結してリング状に構成していたものである。ここで、たとえば第１と第２のリング状ネットワーク４０１、４０２のそれぞれ１つずつのＲＯＡＤＭ装置２２１を図示のＷＸＣ装置２２３1-2に置き換えることで、これらのリング状ネットワーク４０１、４０２が統合する。更に、第２のリング状ネットワーク４０２の他の１つのＲＯＡＤＭ装置２２１と第３のリング状ネットワーク４０３の１つのＲＯＡＤＭ装置２２１を図示のＷＸＣ装置２２３2-3に置き換えることで、第１〜第３のリング状ネットワーク４０１〜４０３が統合することになる。
【００６３】
ここで、ＷＸＣ装置２２３1-2は、置き換え前のＲＯＡＤＭ装置２２１が実現していたイースト（EAST）とウエスト（WEST）の２方向の光信号の伝達を２組同時に実現すると共に、第１および第２のリング状ネットワーク４０１、４０２の間の光信号の伝達も実現する。したがって、５分岐の伝送路における光信号の切り替えを実現することになる。ＷＸＣ装置２２３2-3についても同様である。
【００６４】
図１４は、図１５に対応するネットワークを、ＷＸＣ装置を一部使用することで実現する例を表わしたものである。このネットワーク１００Ａでは、第１のノード１０１および第４のノード１０４を従来と同様のＲＯＡＤＭ装置２２１で構成している。そして、第２のノード１０２を３組のＷＸＣ装置２２３A、２２３B、２２３Cをトライアングル状に配置して構成し、同様に第３のノード１０３を３組のＷＸＣ装置２２３D、２２３E、２２３Fでトライアングル状に配置して構成している。この場合、第２のノード１０２のＷＸＣ装置２２３Cと第３のノード１０３のＷＸＣ装置２２３Fを伝送路で接続する。以上の構成により、図１５で実現しなかったネットワーク１００がネットワーク１００Ａとして実現することになる。
【００６５】
このように本発明によれば、のＷＸＣ装置２２３を使用することで既存のリング状ネットワークを簡単に連結することができるだけでなく、メッシュ状のネットワークや複雑なネットワークを簡単に構築することができ、また、これらのネットワークにおける現用経路と予備経路の切り替え等の管理も簡単に実現することができる。これにより、現用経路に対する予備経路の設定が簡単になり、ネットワークの信頼性を高めることができる。
【００６６】
なお、以上説明した実施の形態では、１つのリングに４つのノードが存在するリング状ネットワークを示したが、１つのリングに存在するノードの数が４つに限定されるものでないことは当然である。
【００６７】
以上説明した実施の形態の一部または全部は、以下の付記のようにも記載されるが、以下の記載に限定されるものではない。
【００６８】
（付記１）
ネットワークにおける信号の伝達経路を表わす個々のリンクが交わる地点としてのノードごとに固有の識別情報を割り振るノード別識別情報付与手段と、
このノード別識別情報付与手段で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、
このＷＸＣ装置割当手段で割り当てたＷＸＣ装置のそれぞれに前記ノード別識別情報付与手段で割り当てたノードごとの固有の識別情報に対応する識別情報を付すＷＸＣ装置別識別情報付与手段と、
このＷＸＣ装置別識別情報付与手段で識別情報を付与したＷＸＣ装置ごとに現用経路および予備経路を構成するパスをそれぞれ登録するＷＸＣ装置別パス登録手段
とを具備することを特徴とするネットワーク管理システム。
【００６９】
（付記２）
前記ノード別識別情報付与手段で識別情報を付与するノードのうちの２本のリンクが同時に交わる場所にはＲＯＡＤＭ（reconfigurable optical add/drop multiplexer）装置が割り当てられることを特徴とする付記１記載のネットワーク管理システム。
【００７０】
（付記３）
前記ネットワークの現用経路を構成するリンクの一部に障害が発生したときこれを検出する障害検出手段と、現用経路と予備経路を対で登録した現用・予備経路登録手段と、前記障害検出手段が現用・予備経路登録手段に登録した現用経路の障害を検出したとき対応する予備経路に切り替える経路切替手段とを具備することを特徴とする付記１記載のネットワーク管理システム。
【００７１】
（付記４）
ネットワークにおける信号の伝達経路を表わす個々のリンクが交わる地点としてのノードごとに固有の識別情報を割り振るノード別識別情報付与ステップと、
このノード別識別情報付与ステップで識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、
このＷＸＣ装置割当ステップで割り当てたＷＸＣ装置のそれぞれに前記ノード別識別情報付与ステップで割り当てたノードごとの固有の識別情報に対応する識別情報を付すＷＸＣ装置別識別情報付与ステップと、
このＷＸＣ装置別識別情報付与ステップで識別情報を付与したＷＸＣ装置ごとに現用経路および予備経路を構成するパスをそれぞれ登録するＷＸＣ装置別パス登録ステップ
とを具備することを特徴とするネットワーク管理方法。
【００７２】
（付記５）
前記ノード別識別情報付与ステップで識別情報を付与するノードのうちの２本のリンクが同時に交わる場所にはＲＯＡＤＭ（reconfigurable optical add/drop multiplexer）装置を割り当てるＲＯＡＤＭ装置割当ステップを具備することを特徴とする付記４記載のネットワーク管理方法。
【００７３】
（付記６）
前記ネットワークの現用経路を構成するリンクの一部に障害が発生したときこれを検出する障害検出ステップと、現用経路と予備経路を対で登録した現用・予備経路登録ステップと、前記障害検出ステップで現用・予備経路登録ステップにおいて登録した現用経路の障害を検出したとき対応する予備経路に切り替える経路切替ステップとを具備することを特徴とする付記４記載のネットワーク管理方法。
【００７４】
（付記７）
コンピュータに、
ネットワークにおける信号の伝達経路を表わす個々のリンクが交わる地点としてのノードごとに固有の識別情報を割り振るノード別識別情報付与処理と、
このノード別識別情報付与処理で識別情報を付与するノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当処理と、
このＷＸＣ装置割当処理で割り当てたＷＸＣ装置のそれぞれに前記ノード別識別情報付与処理で割り当てたノードごとの固有の識別情報に対応する識別情報を付すＷＸＣ装置別識別情報付与処理と、
このＷＸＣ装置別識別情報付与処理で識別情報を付与したＷＸＣ装置ごとに現用経路および予備経路を構成するパスをそれぞれ登録するＷＸＣ装置別パス登録処理
とを実行させることを特徴とするネットワーク管理プログラム。
【００７５】
（付記８）
前記ノード別識別情報付与処理で識別情報を付与するノードのうちの２本のリンクが同時に交わる場所にはＲＯＡＤＭ（reconfigurable optical add/drop multiplexer）装置を割り当てるＲＯＡＤＭ装置割当処理を実行させることを特徴とする付記７記載のネットワーク管理プログラム。
【００７６】
（付記９）
前記ネットワークの現用経路を構成するリンクの一部に障害が発生したときこれを検出する障害検出処理と、現用経路と予備経路を対で登録した現用・予備経路登録処理と、前記障害検出処理で現用・予備経路登録処理において登録した現用経路の障害を検出したとき対応する予備経路に切り替える経路切替処理とを実行させることを特徴とする付記７記載のネットワーク管理プログラム。
【００７７】
（付記１０）
ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当手段と、
前記ネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当手段
とを具備することを特徴とするネットワーク構築システム。
【００７８】
（付記１１）
ネットワークにおける信号の伝達経路を表わす個々のリンクが交わる地点としてのノードのうちの３本以上の任意の本数のリンクの同時に交わる場所に、第１のリンクを伝送される波長多重した光信号から任意の波長の光信号をそれぞれ取り出す光信号ドロップ手段と、この光信号ドロップ手段で取り出した各波長の光信号を前記任意の本数のリンクにおける第３のリンク以降のリンクに割り当てて送出する光信号送出手段と、前記任意の本数のリンクにおける第３のリンク以降のリンクを用いてそれぞれ伝送される互いに異なる波長の光信号を前記光信号ドロップ手段でドロップした波長以外の波長の光信号と合波して第２のリンクに送出する光信号アド手段とを備えたＷＸＣ（wavelength cross-connect）装置を１台ずつ割り当てるＷＸＣ装置割当ステップと、
前記ネットワークにおける信号の伝達経路を表わす個々のリンクが交わる地点としてのノードのうちの２本のリンクが同時に交わる場所にはＲＯＡＤＭ（reconfigurable optical add/drop multiplexer）装置を１台ずつ割り当てるＲＯＡＤＭ装置割当ステップ
とを具備することを特徴とするネットワーク構築方法。
【符号の説明】
【００７９】
１０  ネットワーク管理システム
１１  ノード別識別情報付与手段
１２、４１  ＷＸＣ装置割当手段
１２ａ  光信号ドロップ手段
１２ｂ  光信号送出手段
１２ｃ  光信号アド手段
１３  ＷＸＣ装置別識別情報付与手段
１４  ＷＸＣ装置別パス登録手段
２０  ネットワーク管理方法
２１  ノード別識別情報付与ステップ
２２、５１  ＷＸＣ装置割当ステップ
２３  ＷＸＣ装置別識別情報付与ステップ
２４  ＷＸＣ装置別パス登録ステップ
３０  ネットワーク管理プログラム
３１  ノード別識別情報付与処理
３２  ＷＸＣ装置割当処理
３３  ＷＸＣ装置別識別情報付与処理
３４  ＷＸＣ装置別パス登録処理
４０  ネットワーク構築システム
４２  ＲＯＡＤＭ装置割当手段
５０  ネットワーク構築方法
５２  ＲＯＡＤＭ装置割当ステップ
１０１  第１のノード
１０２  第２のノード
１０３  第３のノード
１０４  第４のノード
２００  ネットワーク
２０１  ネットワークマネジメントシステム（ＮＭＳ）
２１１  第１のリング状ネットワーク
２１２  第２のリング状ネットワーク
２１３  第３のリング状ネットワーク
２２１  ＲＯＡＤＭ装置
２２２  伝送路
２２３  ＷＸＣ装置
２４１  入力側アレイ導波路格子（ＡＷＧ）
２４２  出力側アレイ導波路格子（ＡＷＧ）
２４３  光スイッチ
２４４  第１のＭＷＳ
２４５  第２のＭＷＳ
２４６  入力ポート
２４７  出力ポート
２６１  イースト部
２６２  ウエスト部
２７１  管理テーブル
２８１  ＣＰＵ
２８２  メモリ
２８５  現用・予備経路テーブル
２８６  入力装置
２８８  障害検出部
２８９  経路切替部
４０１  第１のリング状ネットワーク
４０２  第２のリング状ネットワーク
４０３  第３のリング状ネットワーク
【図１】
2011239275.tif 000003
【図２】
2011239275.tif 000004
【図３】
2011239275.tif 000005
【図４】
2011239275.tif 000006
【図５】
2011239275.tif 000007
【図６】
2011239275.tif 000008
【図７】
2011239275.tif 000009
【図８】
2011239275.tif 000010
【図９】
2011239275.tif 000011
【図１０】
2011239275.tif 000012
【図１１】
2011239275.tif 000013
【図１２】
2011239275.tif 000014
【図１３】
2011239275.tif 000015
【図１４】
2011239275.tif 000016
【図１５】
2011239275.tif 000017
【図１６】
2011239275.tif 000018
【図１７】
2011239275.tif 000019